(57)【要約】【課題】補強用斜材などの建築要素から働くせん断力を確実に建築用木材へと伝達することができる簡易構造の建築用木材の連結金具を提供すること。【解決手段】建築用木材１の周面部に当接する周面部当接プレート３の内側板面に、建築用木材１の軸方向と直交する方向に形成された埋め込み穴４に挿入して位置決めする埋め込み部５を突設し、この周面部当接プレート３の外側板面に、他の建築要素２に連結する連結部６を突設し、周面部当接プレート３に、固定具７によりこの周面部当接プレート３を建築用木材１の周面部に固定する固定部８を設けるか、若しくは埋め込み部５に、ドリフトピン９を交差貫通することでこの埋め込み部５を建築用木材１の埋め込み穴４に抜け止め係止するピン係止孔10を設けた建築用木材の連結金具。【選択図】図２
2014047600.tif 000002
【特許請求の範囲】
【請求項１】
建築用木材と、他の木材や筋違金具などの建築要素とを連結する建築用木材の連結金具であって、前記建築用木材の周面部に当接する周面部当接プレートの内側板面に、建築用木材の軸方向と直交する方向に添ってこの建築用木材の周面部に形成された埋め込み穴に挿入して位置決めする埋め込み部を、この周面部当接プレートの内側板面に対して直角に突設し、前記周面部当接プレートの外側板面に、前記建築要素に連結する連結部を突設した構成とし、前記周面部当接プレートに、ボルトやネジなどの固定具によりこの周面部当接プレートを前記建築用木材の周面部に固定する固定部を設けるか、若しくは前記埋め込み部に、ドリフトピンを交差貫通することでこの埋め込み部を建築用木材の前記埋め込み穴に抜け止め係止するピン係止孔を設けたことを特徴とする建築用木材の連結金具。
【請求項２】
前記埋め込み部は、無垢の金属棒を採用して構成したことを特徴とする請求項１記載の建築用木材の連結金具。
【請求項３】
前記周面部当接プレートの内側板面に棒状の前記埋め込み部を複数突設し、この複数の埋め込み部を、前記建築用木材の周面部に形成した複数の前記埋め込み穴に挿入することで、建築用木材の周面部に対して位置決めする構成としたことを特徴とする請求項１，２のいずれか１項に記載の建築用木材の連結金具。
【請求項４】
前記周面部当接プレートに貫通孔を貫通形成し、この貫通孔に金属棒を採用した前記埋め込み部の基端部を貫通させてこの埋め込み部の基端部を周面部当接プレートに溶接した構成とし、この周面部当接プレートの外側板面に貫通突設する前記埋め込み部の基端部を避けるための避け凹部を有する形状の前記連結部を、この周面部当接プレートの外側板面に配設して溶接した構成としたことを特徴とする請求項１〜３のいずれか１項に記載の建築用木材の連結金具。
【請求項５】
前記周面部当接プレートの外側板面に貫通突設する前記埋め込み部の基端部と、前記連結部の前記避け凹部とを溶接した構成としたことを特徴とする請求項４記載の建築用木材の連結金具。
【発明の詳細な説明】
【技術分野】
【０００１】
本発明は、建築用木材と、他の木材や接合金具などの建築要素とを連結する建築用木材の連結金具に関するものである。
【背景技術】
【０００２】
木造軸組工法においては、柱などの縦材と梁などの横材とで形成される矩形枠構造の対角位置に筋違材を架設固定したり、縦材と横材との間に斜材（トラス材）を架設固定したりすることによって矩形枠構造を補強し変形を防止している。
【０００３】
また、この筋違材や斜材などの補強用木材の、矩形枠構造への固定方法は、縦材や横材の側面に補強用木材の端部を嵌合させる切り込みを形成し、この切り込みに補強用木材の端部を嵌合させた上で釘打ちなどにより固定している。
【０００４】
しかしながら、木造建築の場合、補強用木材を釘止めなどの比較的簡単な方向で固定すると、補強用木材に引張力が働いた時に付け根がはずれてしまう危険性がある。
【０００５】
そこで近年は、金物を用いて補強用木材を縦材や横材に確固に固定する方法が主流となってきている（例えば、特許文献１参照。）。
【先行技術文献】
【特許文献】
【０００６】
【特許文献１】意匠登録第１０６４３９１号公報
【発明の概要】
【発明が解決しようとする課題】
【０００７】
ところで、上記のような補強用木材が組まれた枠構造に例えば地震によって大きな外力が加わると、この補強用木材と縦材との連結部及び補強用木材と横材との連結部に大きなせん断力が生じることになる。
【０００８】
そして、この補強用木材と縦材及び横材との連結部には、この連結部に生じるせん断力に抗する十分な連結剛性がないと、補強用木材による補強効果が発揮されないため、この補強用木材と縦材との連結部及び補強用木材と横材との連結部には、強固な連結構造が要求される。
【０００９】
本発明は、このような要求に応えようとするためのもので、補強用木材などの建築要素と柱材や梁材などの建築用木材とを連結できる連結金具にして、建築用木材とに生じるせん断力に対する十分なせん断剛性を有する簡易構造の建築用木材の連結金具を提供するものである。
【課題を解決するための手段】
【００１０】
添付図面を参照して本発明の要旨を説明する。
【００１１】
建築用木材１と、他の木材２Ａや筋違金具２Ｂなどの建築要素２とを連結する建築用木材の連結金具であって、前記建築用木材１の周面部に当接する周面部当接プレート３の内側板面に、建築用木材１の軸方向と直交する方向に添ってこの建築用木材１の周面部に形成された埋め込み穴４に挿入して位置決めする埋め込み部５を、この周面部当接プレート３の内側板面に対して直角に突設し、前記周面部当接プレート３の外側板面に、前記建築要素２に連結する連結部６を突設した構成とし、前記周面部当接プレート３に、ボルト７Ａやネジ７Ｂなどの固定具７によりこの周面部当接プレート３を前記建築用木材１の周面部に固定する固定部８を設けるか、若しくは前記埋め込み部５に、ドリフトピン９を交差貫通することでこの埋め込み部５を建築用木材１の前記埋め込み穴４に抜け止め係止するピン係止孔10を設けたことを特徴とする建築用木材の連結金具に係るものである。
【００１２】
また、前記埋め込み部５は、無垢の金属棒５を採用して構成したことを特徴とする請求項１記載の建築用木材の連結金具に係るものである。
【００１３】
また、前記周面部当接プレート３の内側板面に棒状の前記埋め込み部５を複数突設し、この複数の埋め込み部５を、前記建築用木材１の周面部に形成した複数の前記埋め込み穴４に挿入することで、建築用木材１の周面部に対して位置決めする構成としたことを特徴とする請求項１，２のいずれか１項に記載の建築用木材の連結金具に係るものである。
【００１４】
また、前記周面部当接プレート３に貫通孔を貫通形成し、この貫通孔に金属棒５を採用した前記埋め込み部５の基端部を貫通させてこの埋め込み部５の基端部を周面部当接プレート３に溶接した構成とし、この周面部当接プレート３の外側板面に貫通突設する前記埋め込み部５の基端部５Ａを避けるための避け凹部11を有する形状の前記連結部６を、この周面部当接プレート３の外側板面に配設して溶接した構成としたことを特徴とする請求項１〜３のいずれか１項に記載の建築用木材の連結金具に係るものである。
【００１５】
また、前記周面部当接プレート３の外側板面に貫通突設する前記埋め込み部５の基端部５Ａと、前記連結部６の前記避け凹部11とを溶接した構成としたことを特徴とする請求項４記載の建築用木材の連結金具に係るものである。
【発明の効果】
【００１６】
本発明は上述のように構成したから、建物に対して地震などによる外力が加わった際に、本連結金具と建築用木材との間に生じるせん断力を埋め込み部により支持でき（本連結金具の建築用木材に対する位置ズレを防止でき）、これによりこのせん断力を連結部を介して他の建築要素へと良好に伝達して軸組の変形を抑制することができ、しかも本発明の連結金具は、建築用木材の周面部に当接する周面部当接プレートの対向板面に埋め込み部と連結部とを突設すると共に、周面部当接プレートに、ボルトやネジなどの固定具によりこの周面部当接プレートを建築用木材の周面部に固定する固定部を設けるか、若しくは前記埋め込み部に、ドリフトピンを交差貫通するピン係止孔を設けるだけで構成可能であるため、この構成は簡易に設計実現可能な構成であり、量産性に優れ安価な製品を提供可能となるなど、極めて実用性に優れた建築用木材の連結金具となる。
【００１７】
また、請求項２記載の発明においては、埋め込み部が高強度を発揮して前記せん断力に抗する強固な位置ズレ防止作用を発揮できる一層実用性に優れた構成の建築用木材の連結金具となる。
【００１８】
また、請求項３記載の発明においては、複数の埋め込み部が建築用木材の埋め込み穴に挿入して埋め込まれることによって前記せん断力に抗する一層優れた位置ズレ防止作用を発揮でき、しかも埋め込み部を棒状としたから、建築用木材の周面部に設ける埋め込み穴は細い穴で良く、この埋め込み穴を複数設けることによる建築用木材の強度低下を生じにくいなど、一層実用性に優れた構成の建築用木材の連結金具となる。
【００１９】
また、請求項４，５記載の発明においては、連結部が周面部当接プレートと高強度に一体化した構成を簡易に設計実現可能となり、この連結部に連結した他の建築要素へ前記せん断力を一層良好に伝達でき、特に請求項５記載の発明のように構成すれば、連結部を周面部当接プレートとより高強度に一体化できることになる。
【図面の簡単な説明】
【００２０】
【図１】実施例１の建築用木材（梁材）への取付構造を示す拡大説明分解斜視図である。
【図２】実施例１と、他の建築要素に設けた軸力伝達金具との連結構造を示す拡大説明分解斜視図である。
【図３】実施例１の使用状態を示す概略説明正面図である。
【図４】実施例１で用いる軸力伝達金具の他の建築要素への取り付け構造を示す拡大説明分解斜視図である。
【図５】実施例１で用いる軸力伝達金具のドリフトピンによる他の建築要素への引き寄せ取付構造を示す拡大説明図である。
【図６】実施例２の建築用木材（柱材）への取付構造を示す拡大説明分解斜視図である。
【図７】実施例２の使用状態を示す概略説明正面図である。
【図８】実施例２と、他の建築要素に設けた軸力伝達金具との連結構造を示す拡大説明分解斜視図である。
【図９】実施例３の使用状態を示す拡大説明正面図である。
【図１０】実施例３〜７の使用状態を示す概略説明正面図である。
【図１１】実施例４の使用状態を示す拡大説明正面図である。
【図１２】実施例５の使用状態を示す拡大説明正面図である。
【図１３】実施例６の使用状態を示す拡大説明図である。
【図１４】実施例７の使用状態を示す説明図である。
【図１５】実施例７，８の使用状態を示す概略説明平面図と概略説明正面図である。
【図１６】実施例８の使用状態を示す説明図である。
【発明を実施するための形態】
【００２１】
好適と考える本発明の実施形態を、図面に基づいて本発明の作用を示して簡単に説明する。
【００２２】
建築用木材１の周面部の埋め込み穴４に、本連結金具の埋め込み部５を挿入した後、ボルト７Ａやネジ７Ｂなどの固定具７によりこの周面部当接プレート３の固定部８を建築用木材１の周面部に固定するか、若しくは埋め込み部５のピン係止孔10にドリフトピン９を交差貫通することでこの埋め込み部５を建築用木材１の前記埋め込み穴４に抜け止め係止すると、建築用木材１の周面部に本連結金具が設けられると共に、建築用木材１の周面部に当接する周面部当接プレート３の外側に連結部６が突設することになる。
【００２３】
このようにして建築用木材１の周面部に設けられた本連結金具の前記連結部６に、他の木材２Ａや筋違金具２Ｂなどの建築要素２を連結する。
【００２４】
例えば、本発明の連結金具を用いて木造軸組工法の矩形枠構造Ｗに他の建築要素２を組み入れると、建物に地震などによる外力が加わることによって本連結金具が建築用木材１の周面部に対して位置ズレしようとするせん断力が生じた際に、建築用木材１の軸方向と直交する方向に沿って形成された埋め込み穴４に挿入して位置決められている本連結金具の埋め込み部５が前記せん断力を支持して位置ズレに強固に抵抗することになる（本連結金具の建築用木材１に対する位置ズレが防止されることになる。）。
【００２５】
そして、この本連結金具の連結部６を介して、前記せん断力が他の建築要素２へと良好に伝達されることになる。
【００２６】
従って、例えば、建築要素２を筋違材やトラス材などの補強材とすれば、建物に加わる何らかの外力によって建築用木材１と本連結金具とに生じるせん断力が建築要素２に良好に伝達されて支持されるので、この建築要素２（補強材）による軸組の変形抑制機能（補強作用）が十分に発揮されることになる。
【実施例１】
【００２７】
本発明の具体的な実施例１について図１〜図５に基づいて説明する。
【００２８】
本実施例の連結金具は、建築用木材１として梁材や桁材などの横材１の周面部に設ける場合に適した横材連結金具Ａを示している。
【００２９】
具体的には、前記横材１に形成した埋め込み穴４に挿入して埋め込まれる埋め込み部５を、横材１の周面部に当接する周面部当接プレート３の内側に突設した構成とすると共に、この周面部当接プレート３の外側に、後述する軸力伝達金具15の重合連結板部16を重合止めする連結部６としての連結板部６を突設した構成としている。
【００３０】
また、周面部当接プレート３は、図１に示すように、横材１の長さ方向に沿った長さを有する長方形状の金属板で構成して、この周面部当接プレート３の板面の全面が横材１の周面（図面では下面）に面接当接し得るようにしている。
【００３１】
この周面部当接プレート３の内側に突設する前記埋め込み部５は、図１に示すように、高強度な無垢の金属製丸棒で構成し、この埋め込み部５を周面部当接プレート３に複数突設している。更に詳しくは、埋め込み部５は、周面部当接プレート３の長さ方向の両端部付近の二箇所に突設している。尚、この埋め込み部５は、高強度を有するパイプ材で構成しても良い。
【００３２】
また、この埋め込み部５は、その長さ方向の両端部付近に、ドリフトピン９を交差貫通するピン係止孔10を、この埋め込み部５の長さ方向と直交する方向に複数貫通形成している。
【００３３】
この埋め込み部５の前記周面部当接プレート３への取付構造は、周面部当接プレート３の長さ方向の両端部付近に図示省略の貫通孔を形成し、この各貫通孔に埋め込み部５の基端部５Ａを挿通してこの基端部５Ａを周面部当接プレート３の外側へやや突出させた状態で、この貫通孔に対し各埋め込み部５の基端部５Ａを溶接固定して一体化すると共に、この埋め込み部５は、周面部当接プレート３の内側板面に対して直角に突設させた構造としている。
【００３４】
この周面部当接プレート３の外側に突設する前記連結板部６は、図１に示すように、側面視略台形状の金属板で構成し、この連結板部６の両端部付近にボルト通し孔17を形成している。
【００３５】
また、この連結板部６の前記周面部当接プレート３への取付構造は、連結板部６の基端部の両端部付近に、この基端部を周面部当接プレート３の外側板面に当接した際にこの外側板面に突設する複数の前記埋め込み部５の基端部５Ａを避ける避け凹部11を切欠形成し、この各避け凹部11を除く連結板部６の基端部を周面部当接プレート３の外側板面に溶接固定すると共に、各避け凹部11を埋め込み部５の基端部５Ａに溶接固定して、周面部当接プレート３の外側板面に、この外側板面に対して直角に連結板部６を突設した構成としている。
【００３６】
また、この連結板部６の両側の板面の中間部と、周面部当接プレート３の外側板面とに補強板18を溶接固定して、連結板部６が簡単に変形することなく高強度を発揮するように構成している。
【００３７】
また、ここで本横材連結金具Ａが設けられる建築用木材１（横材１）について説明すると、角棒状であって、この横材１の長さ方向の途中の周面部（下面）の複数箇所に、この横材１の軸方向と直交する方向に添った穴長を有する丸穴形状の埋め込み穴４を所定長穿設した構成として、この埋め込み穴４に前記埋め込み部５を挿入し得るようにしている。また、この埋め込み穴４は、埋め込み部５の本数に応じて二箇所に設けている。
【００３８】
また、この埋め込み穴４と連通状態にして、建築用木材１の長さ方向と直交する方向に横材１を貫通する小径丸孔形状のピン挿通孔19を、前記埋め込み穴４に挿入される前記埋め込み部５の前記ピン係止孔10に対応させて複数穿設し、この各ピン挿通孔19に横材１の側方からドリフトピン９を挿通し得るようにしている。
【００３９】
即ち、本実施例の建築用木材１（横材１）は、前記矩形枠構造Ｗの内側に存する途中部の下面に前記埋め込み穴４が複数開口し、この埋め込み穴４が存する面に隣接する対向面に前記ピン挿通孔19が複数開口する構成としている。
【００４０】
この建築用木材１の埋め込み穴４及びピン挿通孔19はプレカットすることが好ましい。
【００４１】
また、本横材連結金具Ａの横材１の周面部への取付構造は、前記埋め込み部５を前記埋め込み穴４に挿入してピン係止孔10をピン挿通孔19と連通させ、この連通するピン係止孔10とピン挿通孔19とに横材１の側方からドリフトピン９を打ち込んで挿通させると、このピン係止孔10を介して埋め込み部５に交差貫通するドリフトピン９により埋め込み部５が埋め込み穴４に抜け止め係止する（本横材連結金具Ａが横材１の周面部（下面）に固定される）構造としている。
【００４２】
このように構成した本実施例の横材連結金具Ａは、周面部当接プレート３と一体化させた高強度の埋め込み部５を横材１の軸方向と直交する方向に挿通して埋め込むから、建物に地震などによる外力が加わることによってこの横材連結金具Ａと横材１との間にせん断力が生じると、横材１の材軸方向と直交する方向に沿って形成された埋め込み穴４に挿入して位置決められている埋め込み部５が前記せん断力を支持して位置ズレに強固に抵抗することになるので、この横材連結金具Ａの横材１に対する位置ズレが防止されることになる。
【００４３】
図３は、本横材連結金具Ａの使用例を示している。
【００４４】
具体的には、建築用の基礎12と、この建築用基礎12上に固定した柱脚金具13に連結した二本の柱材Ｈと、この二本の柱材Ｈの上端部に直交連結した建築用木材１（横材（梁材））とから成る矩形枠構造Ｗにおいて、梁材１の途中（中間位置）の周面部（下面）に、本実施例の横材連結金具Ａを設け、この本横材連結金具Ａと、前記各柱脚金具13との間に他の建築要素２としての長尺な木材２Ａを架設状態に連結したトラス構造を示している。尚、図面は、建築用基礎12上に直接柱脚金具13を固定して矩形枠構造Ｗを構成した場合を示したが、建築用基礎12上に木土台を設置し、この木土台上に柱脚金具13を固定して矩形枠構造Ｗを構成しても良い。図中符号14はアンカーボルトである。
【００４５】
また、この本横材連結金具Ａと連結する他の建築要素２としての木材２Ａ（トラス材）は、両端部に軸力伝達金具15を設けて、この軸力伝達金具15の重合連結板部16を本横材連結金具Ａの連結板部６に連結している。
【００４６】
具体的には、他の木材２Ａは、角棒状とし、両端部の木口20（木材２Ａの端面）の中心部に、木材２Ａの軸方向に沿った穴長を有する丸穴形状のホゾ穴21を所定長（所定深さ）穿設した構成として、このホゾ穴21に軸力伝達金具15のホゾ部22を挿入し得るようにしている。
【００４７】
また、このホゾ穴21と連通状態にして、木材２Ａの長さ方向と直交する方向に木材２Ａを貫通する小径丸孔形状の挿通孔23を複数（図面では三箇所）穿設して、この各挿通孔23に木材２Ａの側方からドリフトピン９を挿通し得るようにしている。
【００４８】
更にこの複数の挿通孔23は、一つ以上を他の挿通孔23に対して直交状態に設けて、複数のドリフトピン９を直交状態に挿通し得るように構成している。
【００４９】
即ち、本実施例の他の木材２Ａは、両端部の木口20の中心部に前記ホゾ穴21が開口し、両端部付近の周面部の対向位置に前記挿通孔23が複数開口する構成としている。
【００５０】
この他の木材２Ａのホゾ穴21及び挿通孔23はプレカットすることが好ましい。
【００５１】
軸力伝達金具15は、他の木材２Ａ端部の前記ホゾ穴21に挿入した後ドリフトピン９を交差貫通して抜け止め係止するホゾ部22を、木材２Ａの端部に当接する端部当接プレート24の内側に突設した構成とすると共に、この端部当接プレート24の外側に、本横材連結金具Ａの連結板部６に重合止めする重合連結板部16を突設した構成としている。
【００５２】
更に詳しくは、前記端部当接プレート24は、図２，図４に示すように、前記他の木材２Ａ端部の木口20よりやや小形な方形状の金属板で構成して、この端部当接プレート24の板面の全面が木口20に面接当接するようにしている。
【００５３】
この端部当接プレート24の内側に突設する前記ホゾ部22は、図４に示すように、前記ホゾ穴21の穴長よりやや短い金属製丸パイプで構成し、このホゾ部22の中ほどより端部側に、前記挿通孔23から挿通する前記ドリフトピン９を交差貫通する貫通係止孔25を複数貫通形成している。
【００５４】
また、このホゾ部22の前記端部当接プレート24への取付構造は、端部当接プレート24の中心部に図示省略の貫通孔を形成し、この貫通孔にホゾ部22の基端部22Ａを挿通してこの基端部22Ａを端部当接プレート24の外側へやや突出させた状態で、この貫通孔に対してホゾ部22の基端部22Ａを溶接固定して一体化すると共に、このホゾ部22を端部当接プレート24の内側板面に対して直角に突設させた構造としている。
【００５５】
端部当接プレート24の外側に突設する前記重合連結板部16は、図２，図４に示すように、先細形状の二枚の金属板（側面視略三角形状の金属板）で構成し、この二枚の金属板を小間隔を置いて平行並設状態に突設して、この二枚の重合連結板部16間に本横材連結金具Ａの前記連結板部６を挟み込み重合し得るように構成している。
【００５６】
また、この二枚の重合連結板部16には、その並設方向に貫通するボルト孔26を形成して、このボルト孔26に後述する連結ボルト28を挿通し得るように構成している。
【００５７】
また、この二枚の重合連結板部16の前記端部当接プレート24への取付構造は、各重合連結板部16の基端部に、この基端部を端部当接プレート24の外側板面に当接した際にこの外側板面に突設する前記ホゾ部22の基端部22Ａを避ける切欠27を設け、この切欠27を除く各重合連結板部16の基端部を端部当接プレート24の外側板面に溶接固定すると共に、切欠27をホゾ部22の基端部22Ａに溶接固定して、端部当接プレート24の外側板面に、この外側板面に対して直角に重合連結板部16を突設した構造としている。このように構成したことにより、重合連結板部16が端部当接プレート24並びにホゾ部22（の基端部22Ａ）と高強度に一体化した軸力伝達金具15となる。
【００５８】
また、この軸力伝達金具15の前記他の木材２Ａの端部への取付構造は、前記ホゾ部22を前記ホゾ穴21に挿入して複数の前記貫通係止孔25を複数の前記挿通孔23と連通させ、この連通する各貫通係止孔25と各挿通孔23とに木材２Ａの側方からドリフトピン９を打ち込んで挿通させると、この各貫通係止孔25を介してホゾ部22に交差貫通するドリフトピン９によりホゾ部22がホゾ穴21に抜け止め係止する（軸力伝達金具15が木材２Ａの端部に固定される）構造としている。
【００５９】
また、図５に示すように、この挿通孔23と貫通係止孔25とは、前記ホゾ穴５に前記ホゾ部７を挿入した際に連通状態にして且つ位置ズレ状態に設け、前記ホゾ穴５に前記ホゾ部７を挿入した後、この貫通係止孔25に前記挿通孔23から挿通したドリフトピン９を交差貫通させると、前記軸力伝達金具15が前記木材２Ａ側へ引き寄せられて前記端部当接プレート24の内側板面が木材２Ａの端部に圧接当接するように、前記挿通孔23と、前記貫通係止孔25との位置ズレ度を設定している。
【００６０】
即ち、ドリフトピン９を打ち込むことによって木材２Ａの端部に軸力伝達金具15がガタつきなく固定される構成とし、これにより木材２Ａにその材軸方向の力が働くと、その軸力が直接的に軸力伝達金具15に伝達される構成としている。
【００６１】
本実施例の横材１の途中の周面部（下面）に設けた本横材連結金具Ａと、建築要素２としての他の木材２Ａに設けた軸力伝達金具15との連結構造は、軸力伝達金具15の前記二枚の重合連結板部16間に本連結金具の前記連結板部６を挟み込み重合して各重合連結板部16の前記ボルト孔26と連結板部６の前記ボルト通し孔17とを連通させ、この連通するボルト孔26とボルト通し孔17とに連結ボルト28を挿通し、連結ボルト28先端にナット29を螺着して締付することにより摩擦接合する構成としている（図２参照。）。
【００６２】
また、前記柱脚金具13について説明すると、アンカーボルト14により建築用基礎12に固定されるベース部30の上部に、前記柱材Ｈの下端部に形成したスリットに差し込まれる取付プレート31を立設状態に突設した構成とすると共に、この取付プレート31には、その板面を貫通するピン係止孔を複数形成して、このピン係止孔にドリフトピン９を挿通係止し得るようにしている。
【００６３】
また、この取付プレート31は、一側部を側方へ突出する形状に形成して、この突出部32を柱材Ｈの周面部から外方へ突出する連結用板部32とし、この連結用板部32にボルト通し孔を貫通形成して、この連結用板部32に前記木材２Ａの端部に設けた軸力伝達金具15の重合連結板部16を連結ボルト28を用いて連結（摩擦接合）し得るように構成している。
【００６４】
このように本実施例の横材連結金具Ａを用いて構成したトラス構造によれば、建物に地震などによる外力が加わると、横材１を水平方向に動かそうとする力が働いてこの横材１の周面部に対して横材連結金具Ａを位置ズレさせようとするせん断力が生じるが、横材連結金具Ａの埋め込み部５が横材１の埋め込み穴４に位置決められていることによってこの埋め込み部５が前記せん断力を強固に支持して位置ズレに強固に抵抗することになる。
【００６５】
そして、この位置ズレしない横材連結金具Ａの前記連結板部６から、他の木材２Ａの一端部に設けられた軸力伝達金具15の重合連結板部16へと、即ち軸力伝達金具15が設けられた他の木材２Ａへと前記せん断力が伝達されて、このせん断力が木材２Ａをその材軸方向へ動かそうとする軸力（引張軸力若しくは圧縮軸力）に変化することになる。
【００６６】
更にこの木材２Ａに働く軸力は、木材２Ａの他端部に設けた軸力伝達金具15の重合連結板部16から、柱材Ｈの周面部から外方へ突出する連結用板部32へと、即ち柱脚金具13が設けられた柱材Ｈ並びに建築用基礎12へと伝達されて、この軸力が柱材Ｈ並びに建築用基礎12によって支持されることになる。
【００６７】
このようにせん断力や軸力が横材１と他の木材２Ａとの間で良好に伝達されることにより、木材２Ａによる補強作用が十分に発揮されて矩形枠構造Ｗの変形が抑制されることになる。
【実施例２】
【００６８】
本発明の具体的な実施例２について図６〜図８に基づいて説明する。
【００６９】
本実施例の連結金具は、建築用木材１として柱材などの縦材１の周面部に設ける場合に適した縦材連結金具Ｂを示している。
【００７０】
本実施例の縦材連結金具Ｂは、前記実施例１と同等の構成を具備しているが、横材連結金具Ａより更に長さを有し、これを柱材１の長さ方向（上下方向）に沿って使用する構成としている。
【００７１】
即ち、図６に示すように、周面部当接プレート３を前記実施例１のそれより長さのある長方形板とし、連結板部６もこの周面部当接プレート３と同等の長さを有する形状に形成している。
【００７２】
また、周面部当接プレート３を長くしたことに伴い、前記埋め込み部５を一本増やして三本突設した構成とすると共に、連結板部６を長くしたことに伴い、前記補強板18を片側二枚ずつに増やして強度向上を図った構成としている。
【００７３】
本実施例の縦材連結金具Ｂが設けられる各建築用木材１（柱材）は、前記実施例１の建築用木材１（横材）と同等の加工が施されて、前記矩形枠構造Ｗの内側に存する途中部の周面部（対向内側面）に前記埋め込み穴４が複数開口し、この埋め込み穴４が存する面に隣接する対向面に前記ピン挿通孔19が複数開口する構成としている。
【００７４】
図７は、本縦材連結金具Ｂの使用例を示している。
【００７５】
具体的には、建築用の基礎12と、この建築用基礎12上に固定した柱脚金具13に連結した二本の建築用木材１（柱材）と、この二本の建築用木材１の上端部に直交連結した建築用木材１（梁材）とから成る矩形枠構造Ｗにおいて、梁材１の途中（中間位置）の周面部（下面）に、前記実施例１の横材連結金具Ａを設け、各柱材１の途中（中間位置）の周面部（対抗内側面）に本実施例の縦材連結金具Ｂを設け、建築用基礎12の中間位置の上面部に基礎連結金具33を設けて、前記上部の横材連結金具Ａと左右の本縦材連結金具Ｂとの間に、前記実施例１の木材２Ａと同様に両端部に軸力伝達金具15が設けられた木材２Ａ（トラス材）を架設状態に連結すると共に、左右の本縦材連結金具Ｂと基礎連結金具33との間に、両端部に前記軸力伝達金具15が設けられた木材２Ａ（トラス材）を架設状態に連結したトラス構造を構成した場合を示している。
【００７６】
また、前記基礎連結金具33について説明すると、建築用基礎12の上面部に当接する上面部当接プレート34にアンカーボルト14を挿通止めする図示省略の取付穴を貫通形成し、この上面部当接プレート34の外側板面に前記実施例１の連結板部６と同等の構成の連結板部35を突設した構成として、この連結板部35に連結ボルト28を用いて前記軸力伝達金具15の重合連結板部16を連結（摩擦接合）可能としている。
【００７７】
このように本実施例の縦材連結金具Ｂ及び前記実施例１の横材連結金具Ａを用いて構成したトラス構造によれば、建物に地震などによる外力が加わると、梁材１を水平方向に動かそうとする力が働いてこの梁材１の周面部に対して横材連結金具Ａを位置ズレさせようとするせん断力が生じるが、横材連結金具Ａの埋め込み部５が梁材１の埋め込み穴４に位置決められていることによってこの埋め込み部５が前記せん断力を強固に支持して位置ズレに強固に抵抗することになる。
【００７８】
そして、この位置ズレしない横材連結金具Ａの前記連結板部６から、矩形枠構造Ｗの上方に存する木材２Ａの一端部に設けられた軸力伝達金具15の重合連結板部16へと、即ち軸力伝達金具15が設けられた木材２Ａへと前記せん断力が伝達されて、このせん断力が木材２Ａをその材軸方向へ動かそうとする軸力（引張軸力若しくは圧縮軸力）に変化することになる。
【００７９】
更にこの木材２Ａに働く軸力は、木材２Ａの他端部に設けた軸力伝達金具15の重合連結板部16から、柱材１の周面部に設けられた縦材連結金具４Ｂの連結板部６へと、即ち縦材連結金具４Ｂが設けられた柱材１へと伝達されて、この軸力が縦材連結金具４Ｂを柱材１の周面部に対して位置ズレさせようとするせん断力に変化するが、縦材連結金具４Ｂの埋め込み部５が柱材１の埋め込み穴４に位置決められていることによってこの埋め込み部５が前記せん断力を強固に支持して位置ズレに強固に抵抗することになるので、このせん断力が柱材１によって支持されることになる。
【００８０】
また、地震などの外力により、梁材１を水平方向に動かそうとする力が働くと、これに連動して柱材１が傾こうとする力が働いて、柱材１の周面部に対して縦材連結金具４Ｂを位置ズレさせようとするせん断力が生じるが、縦材連結金具４Ｂは前記したように柱材１に対して位置ズレしないから、このせん断力が矩形枠構造Ｗの下方に存する木材２Ａの軸力へと変化してこの軸力が基礎連結金具33、即ちこの基礎連結金具33が設けられた建築用基礎12へと伝達され、更にこの軸力が基礎連結金具33を建築用基礎12の上面部に対して位置ズレさせようとするせん断力に変化するが、基礎連結金具33の埋め込み部５（アンカーボルト18）が建築用基礎12に埋設固定されて位置決められていることによってこの埋め込み部５が前記せん断力を強固に支持して位置ズレに強固に抵抗することになるので、このせん断力が建築用基礎12によって支持されることになる。
【００８１】
このようにせん断力や軸力が建築用木材１と木材２Ａとの間で良好に伝達されることにより、各木材２Ａによる補強作用が十分に発揮されて矩形枠構造Ｗの変形が抑制されることになる。
【００８２】
他の構成は、前記実施例１と同様である。
【実施例３】
【００８３】
本発明の具体的な実施例３について図９，図１０に基づいて説明する。
【００８４】
本実施例の連結金具は、建築用木材１として梁材や桁材などの横材１の周面部に設ける場合に適した横材連結金具Ａ１を示している。
【００８５】
具体的には、前記実施例１において、連結部６の構成が異なる。
【００８６】
即ち、本実施例の連結部６は、長方形板状の連結板部６とし、この連結板部６には、ドリフトピン９を係止する係止孔36を貫通形成している。
【００８７】
図１０は、本横材連結金具Ａ１の、屋根部分の軸組構造への使用例を示している。
【００８８】
具体的には、建築用木材１としての陸梁１に本横材連結金具Ａ１を設け、本横材連結金具Ａ１を介してこの陸梁１と他の木材２Ａとしての合掌梁を連結した場合を示している。
【００８９】
連結板部６と合掌梁２Ａとの連結構造は、連結板部６を合掌梁２Ａの端部に形成したスリット部に差し込んだ上でドリフトピン９により連結板部６と合掌梁２Ａとを連結固定する構成としている。
【００９０】
また、本実施例では、前記補強板18を設けない場合を示している。
【００９１】
他の構成は、前記実施例１と同様である。
【実施例４】
【００９２】
本発明の具体的な実施例４について図１０，図１１に基づいて説明する。
【００９３】
本実施例の連結金具は、建築用木材１として柱材などの縦材１の周面部に設ける場合に適した縦材連結金具Ｂ１を示している。
【００９４】
具体的には、本実施例は、周面部当接プレート３の内側板面に埋め込み部５を一本だけ突設した構成とすると共に、ボルト７Ａやネジ７Ｂなどの固定具７を用いることでこの周面部当接プレート３を縦材１の周面部に固定する固定部８を設けた場合を示している。
【００９５】
固定部８は、周面部当接プレート３の例えば四隅部に、ボルト７Ａやネジ７Ｂなどの固定具７を挿通する図示省略の挿通穴を貫通形成して構成している。
【００９６】
図１０は、本縦材連結金具Ｂ１の、屋根部分の軸組構造への使用例を示している。
【００９７】
具体的には、建築用木材１としての真束１に本縦材連結金具Ｂ１を設け、本縦材連結金具Ｂ１を介してこの真束１と他の木材２Ａとを連結した場合を示している。
【００９８】
また、本実施例では、前記固定具７として無頭ボルト７Ａを採用し、この無頭ボルト７Ａを真束１に貫通させ、この無頭ボルト７Ａの両端部を真束１の対向周面に背中合わせに配設した縦材連結金具Ｂ１の各周面部当接プレート３の挿通穴に挿通させてナット37止めした場合を示している。
【００９９】
また、本実施例では、埋め込み部５にピン係止孔10を設けず、前記補強板18も設けない場合を示している。
【０１００】
他の構成は、前記実施例１と同様である。
【実施例５】
【０１０１】
本発明の具体的な実施例５について図１０，図１２に基づいて説明する。
【０１０２】
本実施例の連結金具は、建築用木材１として梁材や桁材などの横材１の周面部に設ける場合に適した横材連結金具Ａ２を示している。
【０１０３】
具体的には、前記実施例４において、固定部８の固定具７として木ネジ７Ｂを採用した場合である。
【０１０４】
図１０は、本縦材連結金具Ａ２の、屋根部分の軸組構造への使用例を示している。
【０１０５】
具体的には、建築用木材１としての合掌梁１に本横材連結金具Ａ２を設け、本横材連結金具Ａ２を介してこの合掌梁１と他の木材２Ａとを連結した場合を示している。更に詳しくは、図１０は、合掌梁１に設けた本実施例の横材連結金具Ａ２と、真束１に設けた前記実施例４の縦材連結金具Ｂ１との間に、両端部に前記軸力伝達金具15を設けた他の木材２Ａを方杖として架設状態に連結した場合を示している。
【０１０６】
また、本実施例では、埋め込み部５にピン係止孔10を設けて、前記木ネジ７Ｂと共にドリフトピン９で本連結金具を合掌梁１に固定した場合を示している。
【０１０７】
他の構成は、前記実施例４と同様である。
【実施例６】
【０１０８】
本発明の具体的な実施例６について図１０，図１３に基づいて説明する。
【０１０９】
本実施例の連結金具は、建築用木材１として梁材や桁材などの横材１の周面部に設ける場合に適した横材連結金具Ａ３を示している。
【０１１０】
具体的には、前記実施例４において、前記固定部具７としてのボルト７Ａの構成を異ならせた場合である。
【０１１１】
即ち、本実施例のボルト７Ａは、ベースプレート38の両端部に複数（例えば四本）のボルト７Ａが突設した構成とし、このベースプレート38が母屋１の上面部に当接して周面部当接プレート３が締め付け固定される構成としている。
【０１１２】
図１０は、本縦材連結金具Ａ３の、屋根部分の軸組構造への使用例を示している。
【０１１３】
具体的には、建築用木材１としての母屋１に本横材連結金具Ａ３を設け、本横材連結金具Ａ３を介してこの母屋１と筋違金具２Ｂとを連結した場合を示している。更に詳しくは、図１３では、建築用木材１としての母屋１に本横材連結金具Ａ３を設け、この母屋１の下方に横設する建築用木材１としての横材１に前記実施例５の横材連結金具Ａ２を設けて、この本横材連結金具Ａ３と横材連結金具Ａ２との間に他の建築要素２としての筋違金具２Ｂを架設状態に連結した場合を示している。
【０１１４】
尚、図１３の横材連結金具Ａ２は、埋め込み部５にピン係止孔10を設けない構成とした場合を示している。
【０１１５】
他の構成は、前記実施例４と同様である。
【実施例７】
【０１１６】
本発明の具体的な実施例７について図１４，図１５に基づいて説明する。
【０１１７】
本実施例は、建築用木材１として梁材や桁材などの横材１の周面部に設ける場合に適した横材連結金具Ａ４を示している。
【０１１８】
具体的には、前記実施例４の縦材連結金具Ｂ１を、横材１に対して使用した場合である。
【０１１９】
図１５（ａ）は、本横材連結金具Ａ４の使用例を示している。
【０１２０】
具体的には、建築用木材１としての建物の長尺梁１のトラス補強構造を示し、この長尺梁１の対向側面に本横材連結金具Ａ４を設け、この各横材連結金具Ａ４の連結板部６に筋違金具２Ｂを連結している。
【０１２１】
他の構成は、前記実施例４と同様である。
【実施例８】
【０１２２】
本発明の具体的な実施例８について図１５，図１６に基づいて説明する。
【０１２３】
本実施例は、建築用木材１として梁材や桁材などの横材１の周面部に設ける場合に適した横材連結金具Ａ５を示している。
【０１２４】
具体的には、前記実施例２の縦材連結金具Ｂにおいて、連結板部６の一端部付近にだけ前記ボルト孔26（図示省略）に連通させるボルト通し孔17（図示省略）を形成した構成としている。
【０１２５】
図１５（ｂ）は、本横材連結金具Ａ５の使用例を示している。
【０１２６】
具体的には、建物の長尺な横材１（梁材１）の両端部の下面に本横材連結金具Ａ５を設け、この両端の本横材連結金具Ａ５を介してこの梁材１と他の木材２Ａとを連結した場合を示している。更に詳しくは、梁材１の中間部に縦材１を垂設し、この縦材１と梁材１の両端部との間に、補強用トラス材として機能する他の木材２Ａを連結した場合である。また、この縦材１と木材２Ａとの連結に用いる連結金具は、前記実施例４の縦材連結金具Ｂ１を採用している。
【０１２７】
他の構成は、前記実施例２と同様である。
【０１２８】
尚、本発明は、実施例１〜８に限られるものではなく、各構成要件の具体的構成は適宜設計し得るものである。
【符号の説明】
【０１２９】
１  建築用木材
２  建築要素
２Ａ  木材
２Ｂ  筋違金具
３  周面部当接プレート
４  埋め込み穴
５  埋め込み部・金属棒
５Ａ  基端部
６  連結部
７  固定具
７Ａ  ボルト
７Ｂ  ネジ
８  固定部
９  ドリフトピン
10  ピン係止孔
11  避け凹部
【図１】
2014047600.tif 000003
【図２】
2014047600.tif 000004
【図３】
2014047600.tif 000005
【図４】
2014047600.tif 000006
【図５】
2014047600.tif 000007
【図６】
2014047600.tif 000008
【図７】
2014047600.tif 000009
【図８】
2014047600.tif 000010
【図９】
2014047600.tif 000011
【図１０】
2014047600.tif 000012
【図１１】
2014047600.tif 000013
【図１２】
2014047600.tif 000014
【図１３】
2014047600.tif 000015
【図１４】
2014047600.tif 000016
【図１５】
2014047600.tif 000017
【図１６】
2014047600.tif 000018